(57)【要約】【課題】高さが異なる支持バー上への設置が可能で部品の共通化ができるだけではなく、支持バー上への設置状態の安定性が高い照明器具を得ることにある。【解決手段】器具本体に固定された複数の取付け金具２１により、上部に係止凸部を有する支持バー上に支持される照明器具を前提とする。取付け金具２１は、器具本体の長手方向と直交してこの器具本体に固定されたベース金具部材２２、一対の端金具部材２５、複数のねじ孔２６〜２８、及び連結ねじ３１を備える。端金具部材２５には、係止凸部に上方から嵌合して載置される嵌合部２９を設ける。ねじ孔２６〜２８を、端金具部材２５に、この部材２５の幅方向に沿って異なる高さ位置に設ける。連結ねじ３１を、ねじ孔２６〜２８のいずれかに通して、ベース金具部材２２の端部に端金具部材２５を上下に動かないように連結する。【選択図】    図３
2004362783.tif 000002
【特許請求の範囲】
【請求項１】
器具本体と、この器具本体に固定された複数の取付け金具とを備え、上部に係止凸部を有する支持バー上に支持される照明器具において、
前記取付け金具が、
前記器具本体の長手方向と直交してこの器具本体に固定されたベース金具部材と、
前記係止凸部に上方から嵌合して載置される嵌合部が設けられた一対の端金具部材と、
前記ベース金具部材の両端部及び前記端金具部材の内の一方の金具部材に、この金具部材の幅方向に沿って異なる高さ位置に設けられた位置決め部と、
この位置決め部の所定個所に通される連結部材を有して他方の金具部材と前記一方の金具部材とを上下に動かないように連結する連結手段と、
を備えたことを特徴とする照明器具。
【請求項２】
前記一方の金具部材の幅方向両側に上下方向に延びるとともに前記幅方向に相対向する折り曲げフランジを設け、前記他方の金具部材の上下方向に延びる幅方向両側縁を前記折り曲げフランジに接触させたことを特徴とする請求項１に記載の照明器具。
【発明の詳細な説明】
【０００１】
【発明の属する技術分野】本発明は、例えばシステム天井の支持バー上に設置される照明器具に関する。
【０００２】
【従来の技術】システム天井の支持バーとして、高さ寸法が異なる種々の支持バーが提供されている。そこで、高さが異なる各種の支持バーに何らの調整を施工現場で要することなく適合してシステム天井に設置できるようにした照明器具が知られている（例えば特許文献１参照。）。
【０００３】
この特許文献１の照明器具では、器具本体に固定された取付け金具に、下向きに折れ曲がった両端部を垂直な金具取付け部を設けている。更に、この金具取付け部と、これに重ね合わされる設置金具のベース部とのいずれか一方に、上下方向に延びる長孔を設け、他方に、長孔を貫通するリベット等の軸状連結体を取付けている。これにより、金具取付け部に設置金具が上下方向に移動自在に取付けられている。このため、天井の支持バーに設置金具を載せることに伴い、この金具が上下方向に自由に移動して、設置金具の高さ位置を支持バーの高さに適合させることができる。
【０００４】
【特許文献１】
特開平８−１８０７２４号公報（段落００１４−００１５、００１７、００７０−００７３、図１０−図１３）
【０００５】
【発明が解決しようとする課題】特許文献１の照明器具では、支持バー上に載置される設置金具を金具取付け部に対して上下方向に移動自在に取付けているので、支持バー上に設置された状態で照明器具は、設置金具と金具取付け部との接続部での動きに基づいて上下に動くことが可能である。このため、地震時などにおいて照明器具ががたつき易く、安定した設置状態に保持するには難がある。
【０００６】
本発明が解決しようとする課題は、高さが異なる複数種の支持バー上への設置が可能であるだけではなく、支持バー上への設置状態の安定性が高い照明器具を得ることにある。
【０００７】
【課題を解決するための手段】前記課題を解決するために、請求項１の発明は、器具本体と、この器具本体に固定された複数の取付け金具とを備え、上部に係止凸部を有する支持バー上に支持される照明器具において、
前記取付け金具が、前記器具本体の長手方向と直交してこの器具本体に固定されたベース金具部材と、前記係止凸部に上方から嵌合して載置される嵌合部が設けられた一対の端金具部材と、前記ベース金具部材の両端部及び前記端金具部材の内の一方の金具部材に、この金具部材の幅方向に沿って異なる高さ位置に設けられた位置決め部と、この位置決め部の所定個所に通される連結部材を有して他方の金具部材と前記一方の金具部材とを上下に動かないように連結する連結手段と、を備えたことを特徴としている。
【０００８】
請求項１の発明では、取付け金具が、ベース金具部材の両端部に端金具部材を連結手段で連結して作られており、端金具部材は、高さ位置が異なる位置決め部を選択して連結手段によりベース金具部材の端部に連結されるから、選択された位置決め部の高さ位置に応じた高さに端金具部材を配置できる。これにより、端金具部材の嵌合部の位置を、照明器具を支持する支持バーの高さに適合させることが可能であるので、高さが異なる複数種の支持バー上に設置可能な照明器具を提供できる。
【０００９】
そして、連結手段は、その連結部材を位置決め部の所定個所に通して端金具部材をベース金具部材の端部に連結するので、端金具部材を上下方向に動かないように連結できる。これにより、端金具部材とベース金具部材との連結を原因として、地震時などに照明器具ががたつくことが抑制され、支持バー上への設置状態の安定性が高められる。
【００１０】
請求項２の発明は、前記一方の金具部材の幅方向両側に上下方向に延びるとともに前記幅方向に相対向する折り曲げフランジを設け、前記他方の金具部材の上下方向に延びる幅方向両側縁を前記折り曲げフランジに接触させたことを特徴としている。
【００１１】
この請求項２の発明では、一方の金具部材の折り曲げフランジで他方の金具部材を幅方向に挟むように保持して、ベース金具部材の端部に対する端金具部材の幅方向の動きを防止できる。これにより、端金具部材の幅方向に沿う外力が連結手段に作用し難くなって、例えば連結手段が緩むこと等を抑制できる。
【００１２】
【発明の実施の形態】以下、図１〜図５を参照して本発明の第１実施形態を説明する。図１及び図４中符号１はシステム天井用の照明器具を示している。
【００１３】
図１及び図５（Ａ）〜（Ｃ）中符号４はシステム天井の支持バーを示している。支持バー２は、図示しない天井スラブに吊り部材を介して吊持されていて、水平方向に張り出す器具受け部２ａと、上方に突出する係止凸部２ｂとを有している。支持バー２には、図５（Ａ）〜（Ｃ）に例示したいわゆるＴバーを好適に使用できる。図５（Ａ）（Ｂ）の支持バー２はスチール製、図５（Ｃ）の支持バー２はアルミニューム合金製である。図５（Ａ）〜（Ｃ）に示した支持バー２の高さｈ（器具受け部２ａの上面から係止凸部２ｂの上端までの寸法）は、いずれも異なっている。図５（Ａ）の支持バー２の高さｈは４０ｍｍ、図５（Ｂ）の支持バー２の高さｈは３７ｍｍ、図５（Ｃ）の支持バー２の高さｈは４１ｍｍである。照明器具１はシステム天井の隣接して配置された互いに平行な支持バー２にわたって後述のように設置される。
【００１４】
照明器具１は、器具本体１１と、複数例えば２個の取付け金具２１とを備えている。図示の照明器具１は下面開放形の器具であるが、これに代えて器具本体１１の下面開放部にバッフル等の制光体を内蔵した制光体付きの照明器具であってもよく、或いは、器具本体１１の下側にその下面開放部を覆う制光体を配置した照明器具であってもよい。
【００１５】
器具本体１１は、長手方向両端及び下面が夫々開放するように折り曲げられた板金製の本体主部１２と、この主部１２の長手方向両端を夫々塞いで取付けられた本体端板１３とを備えている。図１及び図４中符号１４は、器具本体１１の下面開放部を囲んで四角枠状に形成され上方に開放する溝構造の補強縁を示している。
【００１６】
この器具本体１１の内側には、複数（図１に一つのみ図示）の支持金具１５を介して天井反射板１６が取付けられている。この天井反射板１６は本体主部１２の天井壁１２ａの下面に固定された点灯装置１７を覆っている。図１中符号１８は器具本体１１の長手方向両端部に夫々取付けられたランプソケットを示している。これらのソケット１８は、天井反射板１６を通って設けられていて、この天井反射板１６の下方位置において図示しない直管形けい光ランプを支持するようになっている。
【００１７】
各取付け金具２１は、図２に示すように単一のベース金具部材２２と、一対の端金具部材２５とを備えている。これら各金具部材２２、２５はいずれも厚さが例えば１ｍｍと比較的厚めの鋼板製である。
【００１８】
ベース金具部材２２は、水平方向に延びる接続部２２ａの長手方向両端部に、夫々下向きの連結部２２ｂを折り曲げてほぼコの字状に作られている。このベース金具部材２２の幅方向両側縁には、夫々外向きの折り曲げフランジ２２ｃ、２２ｄが設けられている。これらのフランジ２２ｃ、２２ｄは接続部２２ａと連結部２２ｂとにわたって連続していて、ベース金具部材２２を補強している。両連結部２２ｂの下端部には連結孔２３が夫々開けられている。図２及び図３に示すように連結孔２３は、連結部２２ｂの幅方向に沿って水平に延びる単一の長孔で形成されている。
【００１９】
ベース金具部材２２は、器具本体１１の長手方向と直交して、この器具本体１１に固定されている。器具本体１１へのベース金具部材２２の固定は、天井壁１２ａを横断して重ねられた接続部２２ａに、天井壁１２ａを上向きに貫通してねじ込まれた図示しない複数のねじを介して行われる。図１に示すようにベース金具部材２２の連結部２２ｂ間の離間寸法は、隣接した支持バー２の係止凸部２ｂ間の離間寸法に略等しく、かつ、器具本体１１の最大幅寸法よりも少し大きい。
【００２０】
一対の端金具部材２５の幅方向両側縁には、図３に示すように上下方向に延びるとともに幅方向に相対向する折り曲げフランジ２５ａ、２５ｂが設けられている。端金具部材２５の幅Ａは、連結部２２ｂの折り曲げフランジ２２ｃ、２２ｄ間の幅Ｂに等しく作られている。これにより、端金具部材２５は、その両側縁をなす折り曲げフランジ２５ａ、２５ｂを連結部２２ｂの折り曲げフランジ２２ｃ、２２ｄに接して、連結部２２ｂと組合わされている。
【００２１】
端金具部材２５の上部には、折り曲げフランジ２５ａ、２５ｂ間に位置して位置決め部が設けられている。この位置決め部は例えば複数具体的には３個のねじ孔２６〜２８で作られている。これらのねじ孔２６〜２８は端金具部材２５の幅方向の位置及び高さ位置を異ならせて設けられている。言い換えれば、各ねじ孔２６〜２８は端金具部材２５の幅方向に沿って異なる高さ位置に設けられている。
【００２２】
中間の高さ位置のねじ孔２７は最も多用されている図５の（Ｂ）の支持バー２に照明器具１を支持させる場合に使用され、このねじ孔２７より高い位置のねじ孔２６は図５の（Ｂ）の支持バー２より高さＨが低い支持バー２に照明器具１を支持させる場合に使用され、ねじ孔２７より低い位置のねじ孔２８は図５の（Ｂ）の支持バー２より高さＨが高い支持バー２に照明器具１を支持させる場合に使用されるようになっている。具体的には、最も高い位置のねじ孔２６は、図５の中で高さｈが最も低い図５の（Ｂ）の支持バー２に照明器具１を支持させる場合に使用される。最も低い位置のねじ孔２８は、図５の中で高さｈが最も高い図５（Ｃ）の支持バー２に照明器具１を支持させる場合に使用される。これらの中間の高さ位置のねじ孔２７は、図５（Ａ）の支持バー２に照明器具１を支持させる場合に使用される。
【００２３】
端金具部材２５の下部には、支持バー２の係止凸部２ｂに上方から嵌合して載置される嵌合部２９が一体に設けられているとともに、係止ばね３０がリベット止めにより取付けられている。嵌合部２９は、係止凸部２ｂにその一側方から対向する突出片２９ａと、係止凸部２ｂに載置されるとともに係止凸部２ｂにその他側方から対向するＬ字状の載置片２９ｂとからなる。係止ばね３０は金属のばね板からなる。このばね３０の下部は、係止凸部２ｂに対してその下方から引っ掛かり可能となるようにＶ字状の係止端部３０ａをなして折り曲げられている。
【００２４】
取付け金具２１は連結手段をなす連結部材として連結ねじ３１を有している。このねじ３１は、連結部２２ｂの外面に端金具部材２５が重ね合わされた状態で、連結孔２３とこれに連通している一つのねじ孔２６又は２７或いは２８にねじ込まれて、ベース金具部材２２と端金具部材２５とを連結している。この連結は、照明器具１の取付け施工の現場ではなく、照明器具１を生産する工場で、予め指示された一つのねじ孔を選択して行われる。これにより、例えばビルディングのシステム天井に照明器具１を設置する場合等、膨大な数の照明器具１を設置する際における施工業者の手間を、大幅に軽減するのに有効である。なお、連結ねじ３１に螺合して端金具部材２５の表面に接する締付けナット（図示しない）を併用することは妨げない。
【００２５】
前記構成の取付け金具２１を備えた照明器具１は、この器具１の取付け施工現場に搬入されて、システム天井の隣接している支持バー２の上方に導き、これらの支持バー２に位置合わせした状態で下降させることにより支持バー２に支持される。
【００２６】
この支持状態では、器具本体の補強縁１４が支持バー２の器具受け部２ａに載置されるとともに、取付け金具２１の嵌合部２９が支持バー２の係止凸部２ｂに上方から嵌合し、この嵌合部２９の載置片２９ｂが係止凸部２ｂの上端に載置される。同時に、係止ばね３０が係止凸部２ｂを下方に乗り越え、その係止端部３０ａが係止凸部２ｂに下方から近接して対向する。こうして照明器具１が支持バー２に支持された状態を図１に示す。
【００２７】
前記照明器具１は、連結孔２３を通る連結ねじ３１を最も高い位置のねじ孔２６にねじ込むことにより、端金具部材２５が有する嵌合部２９の高さ位置を図５（Ｃ）に示す支持バー２の高さｈに適合させて使用できる。又、連結孔２３を通る連結ねじ３１を最も低い位置のねじ孔２８にねじ込むことにより、端金具部材２５が有する嵌合部２９の高さ位置を図５（Ｂ）に示す支持バー２の高さｈに適合させて使用できる。更に、連結孔２３を通る連結ねじ３１を中間の高さ位置のねじ孔２７にねじ込むことにより、端金具部材２５が有する嵌合部２９の高さ位置を図５（Ａ）に示す支持バー２の高さｈに適合させて使用できる。
【００２８】
このように高さ位置が異なるねじ孔２６〜２８のいずれかを選択して、連結ねじ３１によりベース金具部材２２の連結部２２ｂに端金具部材２５を連結できるから、選択したねじ孔の高さ位置に応じた高さに端金具部材２５を配置できる。すなわち、端金具部材２５の嵌合部２９の位置を、照明器具１を支持する支持バー２の高さｈに適合させることができるので、この照明器具１を高さｈが異なる複数種の支持バー２上に設置できる。
【００２９】
こうした照明器具１の共用化により、器具１の部品管理が容易になるとともに、照明器具１の組立て時での取付け金具２１の取付け間違いも抑制可能である。
【００３０】
そして、各ねじ孔２６〜２８は互いに独立しており、連結ねじ３１は選択した所定のねじ孔に通して端金具部材２５とベース金具部材２２とを連結しているので、連結された端金具部材２５が上下方向に動かないようにできる。しかも、各ねじ孔２６〜２８は互いに独立しているので、その高さ１２に応じて正確に端金具部材２５を連結できる。これにより、端金具部材２５とベース金具部材２２との連結を原因とする、地震時などの際に照明器具１のがたつきが抑制され、照明器具１の支持バー２上への設置状態の安定性が高められる。これに対して、各ねじ孔２６〜２８を例えば上下方向に沿って設ける場合には、これらのねじ孔２６〜２８が連続して従来技術で説明した長孔となってしまい、好ましくない。
【００３１】
端金具部材２５は、その左右両側縁である折り曲げフランジ２５ａ、２５ｂを、連結部２２ｂの上下方向に延びる折り曲げフランジ２２ｃ、２２ｄ相互の対向面に接触させているので、端金具部材２５の幅方向に沿う外力が連結ねじ３１に作用し難くなり、この連結ねじ３１が緩むことを抑制できる。このため、ベース金具部材２２の端部である連結部２２ｂと端金具部材２５との連結状態を確実に保持することが可能である。したがって、この点においても、支持バー２上への照明器具１の設置状態の安定性を高めることができる。なお、このことは、折り曲げフランジ２５ａ、２５ｂを省略して、端金具部材２５の左右両側縁を折り曲げフランジ２２ｃ、２２ｄに接触させる場合にも同様である。
【００３２】
又、工場においてベース金具部材２２と端金具部材２５とを連結する場合にも、端金具部材２５を折り曲げフランジ２２ｃ、２２ｄに沿わせて移動させることができるので、端金具部材２５が連結部２２ｂに対して連結ねじ３１を中心に回るように傾くことがない。これにより、選択されたねじ孔と連結孔２３との位置あわせが容易となる。しかも、連結ねじ３１を締付ける際にも端金具部材２５が回転することがないので、格別に端金具部材２５を押える手間を要しない。したがって、ベース金具部材２２と端金具部材２５とを容易に連結できる。
【００３３】
又、照明器具１の製造において、各ねじ孔２６〜２８の配置が既述のものと異なる他の端金具部材２５を複数種用意して置く場合には、これら各種の端金具部材２５に対して取付け金具２１のベース金具部材２２を共通部品とできる。ベース金具部材２２がその連結部２２ｂの曲げ加工を必要とする場合には、その加工により、コスト高となるので、以上のように共通部品とできることは、取付け金具２１、ひいては、この金具２１を備える照明器具１のコストを低減する上で好ましい。
【００３４】
以下、本発明の第２〜第５の各実施形態を説明する。これらの実施形態は基本的には第１実施形態と同じであるので、同じ構成については第１実施形態と同じ符号を付し、その構成及び作用の説明は省略し、異なる構成について必要に応じて図１及び図５等も参照して説明する。
【００３５】
図６及び図７は本発明の第２実施形態を示している。
【００３６】
第２実施形態では、端金具部材２５の位置決め部として図７に示すように傾斜した長孔３５を設けている。傾斜している長孔３５の各部は、端金具部材２５の幅方向に沿って異なる高さ位置に設けられているの実質的に同じである。したがって、例えば長孔３５の傾斜上端部を連結孔２３の折り曲げフランジ２２ｃ寄りの端部に位置合わせした場合には、図５（Ｃ）に示す支持バー２に照明器具１を支持するのに適合でき、長孔３５の傾斜下端部を連結孔２３の折り曲げフランジ２２ｄ寄りの端部に位置合わせした場合には、図５（Ｂ）に示す支持バー２に照明器具１を支持するのに適合でき、長孔３５の中間部を連結孔２３の中間部に位置合わせした場合には、図５（Ａ）に示す支持バー２に照明器具１を支持するのに適合できる。勿論、長孔３５であるので、その傾斜上端部と傾斜下端部との高さ範囲内において他の高さの支持バーに適合させることもできる。
【００３７】
更に、第２実施形態では、ベース金具部材２２と端金具部材２５とを連結して取付け金具２１を組立てる連結手段として、位置合わせされた連結孔２３と長孔３５とに通される連結部材をなすボルト３６と、これに螺合するナット３７とが用いられている。
【００３８】
この第２実施形態で、万が一、ボルト３６とナット３７との締付けが緩んでも、このボルト３６が上下方向に移動するには、ボルト３６が照明器具１に対する荷重方向（上下方向）に対して長孔３５に沿って横方向に動かなければならない。しかし、長孔３５は緩い角度で斜めに設けられているとともに、連結部２２ｂの折り曲げフランジ２２ｃ、２２ｄによって端金具部材２５がその幅方向に動き止めされているので、荷重方向と直角な横方向へのボルト３６の動きが抑制される。これにより、ボルト３６とナット３７の締付けにより連結部２２ｂに対して端金具部材２５を上下方向に動かないように連結した組立て状態を、前記締付けが緩んでも維持できる。なお、以上説明した点以外の構成は、第１実施形態の照明器具１と同じである。
【００３９】
したがって、この第２実施形態においても、本発明の課題を解決することができる。
【００４０】
図８〜図１０は本発明の第３実施形態を示している。
【００４１】
第３実施形態では、取付け金具２１のベース金具部材２２は、例えば下向きの折り曲げフランジ２２ｅを有して真直ぐに作られている。なお、折り曲げフランジ２２ｅは上向きに設けることもできる。このベース金具部材２２の長手方向両端部には、その幅を幅方向両側から狭める切り欠き２２ｆが夫々設けられている。これらの切り欠き２２ｆを境に端側の部分が連結部２２ｂとして使用され、これら連結部２２ｂ間の部分が接続部２２ａとして用いられている。したがって、切り欠き２２ｆによって分断された折り曲げフランジ２２ｅの内で、連結部２２ｂに位置する部分は、折り曲げフランジ２２ｃ、２２ｄとして用いられている。これらの折り曲げフランジ２２ｃ、２２ｄには夫々小孔からなる単一の連結孔２３が設けられている。
【００４２】
端金具部材２５は、その幅方向両側部に連結部２２ｂに嵌合する嵌合溝４１が夫々設けられている。嵌合溝４１は、上下方向に延びていて、その上下両端は開放されている。この嵌合溝４１は、端金具部材２５の側縁部４１ａと、これから裏側に向けて直角に折り曲げられた第１壁部４１ｂと、この壁部４１ｂから直角に折り曲げられて側縁部４１ａの裏面に対向する第２壁部４１ｃとで区画されている。第１、第２の壁部４１ｂ、４１ｃとは上下方向に延びる折り曲げフランジをなしている。
【００４３】
端金具部材２５の幅方向に相対向する第１壁部４１ｂの夫々には、位置決め部として使用される複数例えば２個の位置決め孔４２、４３、又は４４、４５が上下に位置をずらして設けられている。各位置決め孔４２〜４５の大きさは連結孔２３と同じである。各位置決め孔４２〜４５は夫々異なる高さ位置に設けられている。具体的には、図１０に示すように相対向する第１壁部４１ｂの内の一方の第１壁部４１ｂの位置決め孔４２が最も高い位置に設けられ、他方の第１壁部４１ｂの位置決め孔４４が次に低い位置に設けられ、一方の第１壁部４１ｂの位置決め孔４３が更に低い位置に設けられ、他方の第１壁部４１ｂの位置決め孔４５が最も低い位置に設けられている。このように相対向する第１壁部４１ｂに非対称に設けられる各位置決め孔４２〜４５の高さ位置は任意に設定できる。
【００４４】
端金具部材２５は連結部２２ｂに被嵌して設けられる。この嵌合状態では、端金具部材２５の一方の第１壁部４１ｂが、連結部２２ｂの折り曲げフランジ２２ｃに重ねられるとともに、端金具部材２５の他方の第１壁部４１ｂが、連結部２２ｂの折り曲げフランジ２２ｄに重ねられる。なお、この場合、第２壁部４１ｃは切り欠き２２ｆに入り込んで連結部２２ｂに引っ掛かるので、端金具部材２５が外れ止めされる。
【００４５】
こうした重なり状態の端金具部材２５は連結手段として例えばスナップ式の留め具４６（図９参照）を一つ用いてベース金具部材２２に固定される。留め具４６は、連結部材としての軸部４６ａに、この軸部４６ａに両端が固定された弾性変形可能なくの字状係止凸部４６ｂを複数設けて作られている。この留め具４６は、位置決め孔４２〜４５の内のいずれか一つ及びこれに対向する連結孔２３に挿入されてベース金具部材２２と端金具部材２５とを連結する。この場合、各係止凸部４６ｂは、弾性変形を伴って連結孔２３に通された直後に復元して、連結孔４６から外れ止めされる。
【００４６】
第３実施形態では、端金具部材２５の高さに応じて、位置決め孔４２、４３のいずれかが折り曲げフランジ２２ｃの連結孔２３に対向し、かつ、これらの高さとは異なる高さ位置に端金具部材２５を配置した際に、その高さに応じて位置決め孔４４、４５のいずれかが折り曲げフランジ２２ｄの連結孔２３に対向する。このため、留め具４６が通される一つの位置決め孔とこれに対向する連結孔とを選択することにより、ベース金具部材２２に対する端金具部材２５の高さ位置を複数段階例えば４段階を変えることができる。したがって、この第３実施形態においても、本発明の課題を解決することができる。
【００４７】
更に、第３実施形態では、ベース金具部材２２の長手方向両端部の連結部２２ｂが、接続部２２ａの延長上にあるので、ベース金具部材２２に大きな曲げ加工を要することがなく、その加工が容易で低コストで得ることが可能である。なお、
以上説明した点以外の構成は、第１実施形態の照明器具１と同じである。
【００４８】
図１１及び図１２は本発明の第４実施形態を示している。
【００４９】
第４実施形態では、連結部２２ｂに位置決め部として複数例えば４個のねじ孔５１〜５４が互いに独立して設けられている。これらのねじ孔５１〜５４の内で、ねじ孔５１、５２は上下に並んでいる。他のねじ孔５３、５４は、ねじ孔５１、５２に対して連結部２２ｂの幅方向にずれた位置で上下に並んでいる。ねじ孔５１、と他のねじ孔５３、５４との高さ位置は夫々異なっており、これにより、ねじ孔５１、５２と他のねじ孔５３、５４とは連結部２２ｂの幅方向に非対称に設けられている。
【００５０】
連結部２２ｂの外面に重ね合わせて連結される端金具部材２５の幅Ａは、連結部２２ｂの折り曲げフランジ２２ｃ、２２ｄの相対向する面間の寸法Ｂと同じである。このため、端金具部材２５の両側縁（言い換えれば、幅方向両端の縁）は、折り曲げフランジ２２ｃ、２２ｄの相対向する面に接触している。端金具部材２５の上部には一対の連結孔２３ａ、２３ｂが互いに独立して設けられている。これらの連結孔２３ａ、２３ｂは同じ高さ位置又は異なる高さ位置に設けることができる。一方の連結孔２３ａはねじ孔５１又は５２に選択的に対向され、他方の連結孔２３ｂはねじ孔５３又は５４に選択的に対向される。
【００５１】
連結ねじ３１は、いずれか一方の連結孔２３ａ又は２３ｂを通って、この連結孔に対向し選択されたねじ孔５１〜５４の内の一つにねじ込まれる。この連結ねじ３１の締付けにより、４段階の内の一つの高さ位置を選択して端金具部材２５が上下方向に動かないようにベース金具部材２２に連結されて、取付け金具２１が組立てられる。なお、以上説明した点以外の構成は、第１実施形態の照明器具１と同じである。
【００５２】
したがって、この第４実施形態においても、本発明の課題を解決することができる。
【００５３】
図１３〜図１６は本発明の第５実施形態を示している。
【００５４】
第５実施形態では、連結部２２ｂに位置決め部として例えば位置決め孔６１が開けられており、この孔６１の下縁は階段状に作られている。この下縁が有する複数の位置決め段部６２〜６５は、連結部２２ｂの幅方向に沿って互いに異なる高さ位置に設けられている。
【００５５】
図１４に示すように端金具部材２５の幅方向両側縁には、連結部２２ｂの幅方向両側縁に被嵌する嵌合溝６６ａを有する折り曲げフランジ６６が形成されている。端金具部材２５の上部には、四角い通孔６７が開けられているとともに、この通孔６７と対向する取付けばね６８が取付けられている。
【００５６】
図１４及び図１６に示すように取付けばね６８は、位置決め段部６２〜６５と同数の下向きのばね片７１〜７４を連結手段として有している。隣接するばね片７１〜７４間には下端開放のスロット７５が設けられていて、各ばね片７１〜７４は独立して動作可能である。
【００５７】
各ばね片７１〜７４は、対応する位置決め段部６２〜６５上に着座可能な座り端部７１ａ〜７４ａを個別に有しているとともに、この上方に位置して図１５に代表して示すように例えば断面く字状をなす曲げ部７１ｂ〜７４ｂを個別に有している。各座り端部７１ａ〜７４ａは、同じ高さに設けられていて、位置決め孔６１に通される連結部材として機能する。曲げ部７１ｂ〜７４ｂは端金具部材２５の幅方向に沿って夫々異なる高さに設けられている。具体的には、曲げ部７４ｂが最も低い位置に設けられ、曲げ部７４ｂが次に高い位置に設けられ、曲げ部７２ｂが更に高い位置に設けられ、曲げ部７１ｂが最も高い位置に設けられている。
【００５８】
端金具部材２５をベース金具部材２２の連結部２２ｂに下方から上向きに被嵌させる際に、座り端部７１ａ〜７４ａのいずれか一つを選択して、それに対応する高さ位置の位置決め段部に着座させることにより、端金具部材２５をベース金具部材２２の連結部２２ｂに連結できる。この連結状態の一例が図１５で示されている。
【００５９】
この図１５では、座り端部７４ａが位置決め孔６１を通ってこの孔６１の最も低い位置の位置決め段部６２に着座した場合を例示している。この状態で着座したばね片７４の曲げ部７４ｂは位置決め孔６１の上縁に引っ掛かっていて、それにより、連結部２２ｂに対して端金具部材２５が不用意に上下動しないように連結部２２ｂと端金具部材２５とが連結されている。なお、この状態で、他のばね片７１〜７３はいずれも弾性変形して連結部２２ｂの裏面に配置されているので、それらの座り端部７１ａ〜７３ａは対応する位置決め段部６３〜６５から外れていて連結部２２ｂの裏面に接している。
【００６０】
このため、図１５に示す状態からさらに端金具部材２５を強く押上げる場合には、ばね片７１が弾性変形してその曲げ部７１ｂが連結部２２ｂの裏側に外れるので、このばね片７１に隣接したばね片７２の座り端部７２ａが、それに対応した高さ位置の位置決め段部６３に着座する。これにより、位置決め段部６２、６３の高さ寸法差分だけ端金具部材２５が上方に配置されて、それに応じた高さの支持バーに端金具部材２５を適合させることができる。同様の押上げ操作により、ばね片７３の座り端部７３ａをそれに対応した高さ位置の位置決め段部６４に着座させる場合にも、更なる押上げ操作により、ばね片７４の座り端部７４ａをそれに対応した最も高い位置の位置決め段部６５に着座させる場合にも、それに応じた高さの支持バーに端金具部材２５を適合させることができる。
【００６１】
以上のような着座位置の選択により、端金具部材２５を上下方向に不用意に動かないようにベース金具部材２２に連結して、取付け金具２１を組立てることができる。この場合、格別にねじやボルト・ナット或いはスナップ式の留め具を用いてその取付け操作を要することがないので、容易に高さ位置の調整を行うことが可能である。なお、以上説明した点以外の構成は、第１実施形態の照明器具１と同じである。
【００６２】
したがって、この第５実施形態においても、本発明の課題を解決することができる。
【００６３】
本発明は上記各実施形態には制約されない。例えば、位置決め部と連結孔とは上記各実施形態とは相対的に逆の位置関係にして、したがって、例えば複数のねじ孔等からなる位置決め部をベース金具部材に設けるとともに、連結孔を端金具部材に設けて実施することもできる。
【００６４】
【発明の効果】請求項１記載の発明によれば、支持バーの係止凸部に上方から嵌合して載置される嵌合部を有して、器具本体に固定されたベース金具部材の端部に連結される端金具部材を、支持バーの高さに適合させてベース金具部材の端部に連結できるから、高さが異なる複数種の支持バー上に設置できるとともに、端金具部材は上下方向に動かないように連結されているので、地震時などにがたつくことが抑制され支持バー上への設置状態の安定性が高い照明器具を提供できる。
【００６５】
請求項２記載の発明によれば、端金具部材の幅方向に沿う外力が連結手段に作用し難くなって、例えば連結手段が緩むこと等が抑制されるので、ベース金具部材の端部と端金具部材との連結状態を確実に保持可能であり、したがって、支持バー上への設置状態の安定性が高い照明器具を提供できる。
【図面の簡単な説明】
【図１】本発明の第１実施形態に係る照明器具を示す断面図。
【図２】図１の照明器具が備える取付け金具を示す斜視図。
【図３】図２の取付け金具の一部を分解して示す斜視図。
【図４】第１実施形態に係る照明器具を示す斜視図。
【図５】（Ａ）〜（Ｃ）は夫々異なる支持バーを示す断面図。
【図６】本発明の第２実施形態に係る照明器具が備える取付け金具を示す斜視図。
【図７】図６の取付け金具の一部を分解して示す斜視図。
【図８】本発明の第３実施形態に係る照明器具を示す断面図。
【図９】図８の照明器具が備える取付け金具の一部を分解して示す斜視図。
【図１０】図９の取付け金具の端金具部材の上部を一部切欠いて示す正面図。
【図１１】本発明の第４実施形態に係る照明器具を示す断面図。
【図１２】図１１の照明器具が備える取付け金具の一部を分解して示す斜視図。
【図１３】本発明の第５実施形態に係る照明器具を示す断面図。
【図１４】図１３の照明器具が備える取付け金具の一部を分解して示す
【図１５】図１４の取付け金具の端金具部材の一部を示す断面図。
【図１６】図１４の取付け金具が有する取付けばねを示す正面図。
【符号の説明】
１…照明器具、２…支持バー、２ａ…器具受け部、２ｂ…係止凸部、１１…器具本体、２１…取付け金具、２２…ベース金具部材、２２ａ…接続部、２２ｂ…連結部、２２ｃ、２２ｄ…折り曲げフランジ、２３…連結孔、２５…端金具部材、２５ａ、２５ｂ…折り曲げフランジ、２６〜２８…ねじ（位置決め部）、２９…嵌合部、３１…連結ねじ（連結部材である連結手段）、３５…長孔（位置決め部）、３６…ボルト（連結部材である連結手段）、３７…ナット（連結手段）、４１…嵌合溝、４１ｂ…第１壁部（折り曲げフランジ）、４１ｃ…第１壁部（折り曲げフランジ）、４２〜４５…位置決め孔、４６…留め具（連結手段）、４６ａ…軸部（連結部材）、５１〜５４…ねじ孔、２３ａ、２３ｂ…連結孔、６１…位置決め孔（位置決め部）、６２〜６５…位置決め段部、６８…取付けばね（連結手段）、７１〜７４…ばね片（連結手段）、７１ａ〜７４ａ…座り端部（連結部材）、７１ｂ〜７４ｂ…曲げ部
【図１】
2004362783.tif 000003
【図２】
2004362783.tif 000004
【図３】
2004362783.tif 000005
【図４】
2004362783.tif 000006
【図５】
2004362783.tif 000007
【図６】
2004362783.tif 000008
【図７】
2004362783.tif 000009
【図８】
2004362783.tif 000010
【図９】
2004362783.tif 000011
【図１０】
2004362783.tif 000012
【図１１】
2004362783.tif 000013
【図１２】
2004362783.tif 000014
【図１３】
2004362783.tif 000015
【図１４】
2004362783.tif 000016
【図１５】
2004362783.tif 000017
【図１６】
2004362783.tif 000018